(57)【要約】  本発明に係る基地局は、第１の隣接基地局と協調してユーザ端末との協調通信を行う基地局である。当該基地局は、前記第１の隣接基地局が前記協調通信のために確保する無線リソースと同一の無線リソースを、前記協調通信のために用いられる協調通信リソースとして確保する制御部と、前記基地局と前記協調通信を行わない第２の隣接基地局に、少なくとも前記協調通信リソースに対応する前記基地局の送信電力に関する送信電力情報を送信する送信部と、を備える。
2015064476.tif 000002
【特許請求の範囲】
【請求項１】
第１の隣接基地局と協調してユーザ端末との協調通信を行う基地局であって、
前記第１の隣接基地局が前記協調通信のために確保する無線リソースと同一の無線リソースを、前記協調通信のために用いられる協調通信リソースとして確保する制御部と、
前記基地局と前記協調通信を行わない第２の隣接基地局に、少なくとも前記協調通信リソースに対応する前記基地局の送信電力に関する送信電力情報を送信する送信部と、を備えることを特徴とする基地局。
【請求項２】
前記送信部は、前記第１の隣接基地局のみが前記協調通信リソースを用いて前記ユーザ端末への送信を行う場合、前記送信電力情報として、前記送信電力がゼロに等しいことを示す情報を前記第２の隣接基地局に送信することを特徴とする請求項１に記載の基地局。
【請求項３】
前記制御部は、前記基地局及び前記第１の隣接基地局が前記協調通信リソースを用いて前記ユーザ端末への送信を一斉に行う場合、前記送信電力を低減させることを決定し、
前記送信部は、前記送信電力情報として、前記送信電力の低減に関する情報を前記第２の隣接基地局に送信することを特徴とする請求項１に記載の基地局。
【請求項４】
前記制御部は、前記協調通信リソースに対応する前記送信電力を増加させることを決定し、
前記送信部は、前記送信電力情報として、前記送信電力の増加に関する情報を前記第２の隣接基地局に送信することを特徴とする請求項１に記載の基地局。
【請求項５】
前記送信電力情報は、リソースブロック毎の送信電力の制限を示す情報と、少なくとも前記協調通信リソースが位置するサブフレームを示す情報と、を含むことを特徴とする請求項１に記載の基地局。
【請求項６】
前記制御部は、前記基地局の周辺に存在する隣接基地局に関する隣接セルリストに前記基地局と前記協調通信を行う基地局を記録し、
前記制御部は、前記隣接セルリストに基づいて、前記送信電力情報を前記第２の隣接基地局に送信することを特徴とする請求項１に記載の基地局。
【請求項７】
ユーザ端末と通信を行う基地局であって、
他の基地局と協調して協調通信を行い、且つ、前記基地局と協調して前記ユーザ端末との前記協調通信を行わない隣接基地局から、少なくとも前記協調通信のために用いられる協調通信リソースに対応する前記隣接基地局の送信電力に関する送信電力情報を受信する受信部と、
前記送信電力情報に基づいて、前記ユーザ端末に無線リソースを割り当てる制御部と、を備えることを特徴とする基地局。
【請求項８】
前記受信部は、前記送信電力情報として、前記送信電力がゼロに等しいことを示す情報を受信し、
前記制御部は、前記ユーザ端末が前記隣接基地局からの干渉を受けている場合、前記ユーザ端末に前記協調通信リソースに対応する前記無線リソースを割り当てることを特徴とする請求項７に記載の基地局。
【請求項９】
前記受信部は、前記送信電力情報として、前記送信電力の低減に関する情報を受信し、
前記制御部は、前記ユーザ端末が前記隣接基地局からの干渉を受けている場合、前記ユーザ端末に前記協調通信リソースに対応する前記無線リソースを割り当てることを特徴とする請求項７に記載の基地局。
【請求項１０】
前記受信部は、前記送信電力情報として、前記送信電力の増加に関する情報を受信し、
前記制御部は、前記ユーザ端末が前記隣接基地局からの干渉を受けている場合、前記ユーザ端末に前記協調通信リソースに対応する無線リソースとは異なる前記無線リソースを割り当てることを特徴とする請求項７に記載の基地局。
【請求項１１】
前記受信部は、前記送信電力情報は、リソースブロック毎の送信電力の制限を示す情報と、少なくとも前記協調通信リソースが位置するサブフレームを示す情報と、を含む前記送信電力情報を受信し、
前記制御部は、前記サブフレームを示す情報に基づいて、前記ユーザ端末に前記無線リソースを割り当てることを特徴とする請求項１に記載の基地局。
【請求項１２】
前記制御部は、前記ユーザ端末が、前記隣接基地局側における前記基地局が管理するセルの端部に位置すると判断した場合、前記ユーザ端末に前記無線リソースを割り当てることを特徴とする請求項１に記載の基地局。
【発明の詳細な説明】
【技術分野】
【０００１】
本発明は、ＣｏＭＰ通信をサポートする移動通信システムに用いられる基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、ＣｏＭＰ（Ｃｏｏｒｄｉｎａｔｅｄ  Ｍｕｌｔｉ−Ｐｏｉｎｔ）通信の標準化が進められている（非特許文献１参照）。【０００３】
ＣｏＭＰ通信は、同一の場所に配置されたアンテナ群を１つの「ポイント」と位置付け、複数のポイントが協調してユーザ端末と通信を行う通信形態である。１つの時間・周波数リソースを用いてユーザ端末との通信を行うポイント群は、ＣｏＭＰ協調セット（ＣｏＭＰ  ｃｏｏｐｅｒａｔｉｎｇ  ｓｅｔ）と称される。
【先行技術文献】
【非特許文献】
【０００４】
【非特許文献１】３ＧＰＰ技術報告  「ＴＲ３６．８１９  Ｖ１１．２．０」  ２０１３年９月
【発明の概要】
【０００５】
ＣｏＭＰ協調セットに含まれる基地局は、ＣｏＭＰ協調セットに含まれる他の基地局と協調してユーザ端末と通信を行うため、当該ユーザ端末に割り当てられる無線リソース（以下、協調リソースと称する）に対応する基地局の送信電力は、規制されている。
【０００６】
しかしながら、現状、ＣｏＭＰ協調セットの周辺に存在し、当該ＣｏＭＰ協調セットに含まれない隣接基地局は、送信電力が規制されている協調リソースに関係なく、無線リソースを配下のユーザ端末に割り当てている。このため、システムキャパシティの改善の余地が残されている。
【０００７】
そこで、本発明は、ＣｏＭＰ通信が行われている場合に、システムキャパシティを向上可能な基地局を提供する。
【０００８】
一実施形態に係る基地局は、第１の隣接基地局と協調してユーザ端末との協調通信を行う基地局である。当該基地局は、前記第１の隣接基地局が前記協調通信のために確保する無線リソースと同一の無線リソースを、前記協調通信のために用いられる協調通信リソースとして確保する制御部と、前記基地局と前記協調通信を行わない第２の隣接基地局に、少なくとも前記協調通信リソースに対応する前記基地局の送信電力に関する送信電力情報を送信する送信部と、を備える。
【図面の簡単な説明】
【０００９】
【図１】図１は、ＬＴＥシステムの構成図である。
【図２】図２は、ＵＥのブロック図である。
【図３】図３は、ｅＮＢのブロック図である。
【図４】図４は、下りリンク・マルチアンテナ伝送に関連するブロック図である。
【図５】図５は、ＬＴＥシステムにおける無線インターフェイスのプロトコルスタック図である。
【図６】図６は、ＬＴＥシステムで使用される無線フレームの構成図である。
【図７】図７は、本実施形態に係る動作概要を説明するための説明図である。
【図８】図８は、本実施形態に係る動作シーケンスを説明するためのシーケンス図である。
【図９】図９は、本実施形態に係る送信電力情報の一例を説明するための説明図である。
【発明を実施するための形態】
【００１０】
［実施形態の概要］
実施形態に係る基地局は、第１の隣接基地局と協調してユーザ端末との協調通信を行う基地局である。当該基地局は、前記第１の隣接基地局が前記協調通信のために確保する無線リソースと同一の無線リソースを、前記協調通信のために用いられる協調通信リソースとして確保する制御部と、前記基地局と前記協調通信を行わない第２の隣接基地局に、少なくとも前記協調通信リソースに対応する前記基地局の送信電力に関する送信電力情報を送信する送信部と、を備える。
【００１１】
実施形態において、前記送信部は、前記第１の隣接基地局のみが前記協調通信リソースを用いて前記ユーザ端末への送信を行う場合、前記送信電力情報として、前記送信電力がゼロに等しいことを示す情報を前記第２の隣接基地局に送信する。
【００１２】
実施形態において、前記制御部は、前記基地局及び前記第１の隣接基地局が前記協調通信リソースを用いて前記ユーザ端末への送信を一斉に行う場合、前記送信電力を低減させることを決定する。前記送信部は、前記送信電力情報として、前記送信電力の低減に関する情報を前記第２の隣接基地局に送信する。
【００１３】
実施形態において、前記制御部は、前記協調通信リソースに対応する前記送信電力を増加させることを決定する。前記送信部は、前記送信電力情報として、前記送信電力の増加に関する情報を前記第２の隣接基地局に送信する。
【００１４】
実施形態において、前記送信電力情報は、リソースブロック毎の送信電力の制限を示す情報と、少なくとも前記協調通信リソースが位置するサブフレームを示す情報と、を含む。
【００１５】
実施形態において、前記制御部は、前記基地局の周辺に存在する隣接基地局に関する隣接セルリストに前記基地局と前記協調通信を行う基地局を記録する。前記制御部は、前記隣接セルリストに基づいて、前記送信電力情報を前記第２の隣接基地局に送信する。
【００１６】
実施形態に係る基地局は、ユーザ端末と通信を行う基地局である。当該基地局は、他の基地局と協調して協調通信を行い、且つ、前記基地局と協調して前記ユーザ端末との前記協調通信を行わない隣接基地局から、少なくとも前記協調通信のために用いられる協調通信リソースに対応する前記隣接基地局の送信電力に関する送信電力情報を受信する受信部と、前記送信電力情報に基づいて、前記ユーザ端末に無線リソースを割り当てる制御部と、を備える。
【００１７】
実施形態において、前記受信部は、前記送信電力情報として、前記送信電力がゼロに等しいことを示す情報を受信する。前記制御部は、前記ユーザ端末が前記隣接基地局からの干渉を受けている場合、前記ユーザ端末に前記協調通信リソースに対応する前記無線リソースを割り当てる。
【００１８】
実施形態において、前記受信部は、前記送信電力情報として、前記送信電力の低減に関する情報を受信する。前記制御部は、前記ユーザ端末が前記隣接基地局からの干渉を受けている場合、前記ユーザ端末に前記協調通信リソースに対応する前記無線リソースを割り当てる。
【００１９】
実施形態において、前記受信部は、前記送信電力情報として、前記送信電力の増加に関する情報を受信する。前記制御部は、前記ユーザ端末が前記隣接基地局からの干渉を受けている場合、前記ユーザ端末に前記協調通信リソースに対応する無線リソースとは異なる前記無線リソースを割り当てる。
【００２０】
実施形態において、前記受信部は、前記送信電力情報は、リソースブロック毎の送信電力の制限を示す情報と、少なくとも前記協調通信リソースが位置するサブフレームを示す情報と、を含む前記送信電力情報を受信する。前記制御部は、前記サブフレームを示す情報に基づいて、前記ユーザ端末に前記無線リソースを割り当てる。
【００２１】
実施形態において、前記制御部は、前記ユーザ端末が、前記隣接基地局側における前記基地局が管理するセルの端部に位置すると判断した場合、前記ユーザ端末に前記無線リソースを割り当てる。
【００２２】
［実施形態］
以下、図面を参照して、３ＧＰＰ規格に準拠して構成される移動通信システム（ＬＴＥシステム）に本発明を適用する場合の実施形態を説明する。
【００２３】
（ＬＴＥシステム）
図１は、実施形態に係るＬＴＥシステムの構成図である。
【００２４】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２５】
ＵＥ１００は、移動型の無線通信装置であり、接続を確立したセル（サービングセル）との無線通信を行う。ＵＥ１００はユーザ端末に相当する。
【００２６】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを構成しており、セルとの接続を確立したＵＥ１００との無線通信を行う。
【００２７】
なお、「セル」は、無線通信エリアの最小単位を示す用語として使用される他に、ＵＥ１００との無線通信を行う機能を示す用語としても使用される。
【００２８】
ｅＮＢ２００は、例えば、無線リソース管理（ＲＲＭ）機能と、ユーザデータのルーティング機能と、モビリティ制御及びスケジューリングのための測定制御機能と、を有する。
【００２９】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と、を含む。
【００３０】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３１】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３２】
ＯＡＭ４００は、オペレータによって管理されるサーバ装置であり、Ｅ−ＵＴＲＡＮ１０の保守及び監視を行う。
【００３３】
次に、ＵＥ１００及びｅＮＢ２００の構成を説明する。
【００３４】
図２は、ＵＥ１００のブロック図である。図２に示すように、ＵＥ１００は、複数のアンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０は、記憶部を構成し、プロセッサ１６０は、制御部を構成する。
【００３５】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３６】
アンテナ１０１及び無線送受信機１１０は、無線信号の送受信に用いられる。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００３７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３８】
ＧＮＳＳ受信機１３０は、ＵＥ１００の地理的な位置を示す位置情報を得るために、ＧＮＳＳ信号を受信して、受信した信号をプロセッサ１６０に出力する。
【００３９】
バッテリ１４０は、ＵＥ１００の各ブロックに供給すべき電力を蓄える。
【００４０】
メモリ１５０は、プロセッサ１６０によって実行されるプログラムと、プロセッサ１６０による処理に使用される情報と、を記憶する。
【００４１】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４２】
プロセッサ１６０は、無線送受信機１１０が受信する信号（特に、参照信号）に基づいてチャネル状態情報（ＣＳＩ）を生成し、当該チャネル状態情報をサービングセルにフィードバックする。チャネル状態情報は、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＣＱＩ（Ｃｈａｎｎｅｌ  Ｑｕａｌｉｔｙ  Ｉｎｄｉｃａｔｏｒ）などを含む。
【００４３】
フィードバック対象となる周波数単位（対象周波数帯）としては、「下りリンク全帯域」又は「サブバンド」が規定されており、何れを用いるかはｅＮＢ２００からの指示に応じて定められる。サブバンドは、下りリンク全帯域を分割した周波数単位であり、複数リソースブロック分の帯域幅を有する。フィードバックされる情報（ＰＭＩ、ＲＩ、ＣＱＩなど）の詳細については後述する。
【００４４】
図３は、ｅＮＢ２００のブロック図である。図３に示すように、ｅＮＢ２００は、複数のアンテナ２０１と、無線送受信機２１０と、ネットワークインターフェイス２２０と、メモリ２３０と、プロセッサ２４０と、を有する。メモリ２３０は、記憶部を構成し、プロセッサ２４０は、制御部を構成する。メモリ２３０をプロセッサ２４０と一体化し、このセット（すなわち、チップセット）をプロセッサとしてもよい。
【００４５】
アンテナ２０１及び無線送受信機２１０は、無線信号の送受信に用いられる。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４６】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信と、Ｓ１インターフェイス上で行う通信と、に用いられる。
【００４７】
メモリ２３０は、プロセッサ２４０によって実行されるプログラムと、プロセッサ２４０による処理に使用される情報と、を記憶する。
【００４８】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４９】
プロセッサ２４０は、プリコーダ行列及びランクを適用して下りリンク・マルチアンテナ伝送を行う。図４は、下りリンク・マルチアンテナ伝送に関連するプロセッサ２４０のブロック図である。各ブロックの詳細は例えば３ＧＰＰ  ＴＳ  ３６．２１１に記載されているが、ここではその概要を説明する。
【００５０】
図４に示すように、物理チャネル上で送信すべき１つ又は２つのコードワードは、スクランブルされ、かつ変調シンボルに変調された後、レイヤマッパ２４１によって複数のレイヤにマッピングされる。コードワードは、誤り訂正のデータ単位である。ランク（レイヤ数）は、フィードバックされるＲＩに基づいて定められる。
【００５１】
プリコーダ２４２は、プリコーダ行列を用いて、各レイヤの変調シンボルをプリコーディングする。プリコーダ行列は、フィードバックされるＰＭＩに基づいて定められる。プリコーディングされた変調シンボルは、リソースエレメントにマッピングされ、かつ時間領域のＯＦＤＭ信号に変換されて、各アンテナポートに出力される。
【００５２】
図５は、ＬＴＥシステムにおける無線インターフェイスのプロトコルスタック図である。
【００５３】
図５に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉｕｍ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５４】
物理レイヤは、符号化・復号、変調・復調、アンテナマッピング・デマッピング、及びリソースマッピング・デマッピングを行う。ＵＥ１００の物理レイヤとｅＮＢ２００の物理レイヤとの間では、物理チャネルを介してデータが伝送される。
【００５５】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割当リソースブロックを決定するＭＡＣスケジューラを含む。
【００５６】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５７】
ＰＤＣＰレイヤは、ヘッダ圧縮・伸張、及び暗号化・復号化を行う。
【００５８】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  Ｃｏｎｎｅｃｔｅｄ  Ｓｔａｔｅ）であり、そうでない場合、ＵＥ１００はアイドル状態（ＲＲＣ  Ｉｄｌｅ  Ｓｔａｔｅ）である。
【００５９】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００６０】
図６は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００６１】
複信方式としては、ＦＤＤ（Ｆｒｅｑｕｅｎｃｙ  Ｄｉｖｉｓｉｏｎ  Ｄｕｐｌｅｘ）方式又はＴＤＤ（Ｔｉｍｅ  Ｄｉｖｉｓｉｏｎ  Ｄｕｐｌｅｘ）方式が使用されるが、第１実施形態では主としてＦＤＤ方式を想定する。
【００６２】
図６に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６３】
ＵＥ１００に割り当てられる無線リソースのうち、周波数リソースはリソースブロックにより特定でき、時間リソースはサブフレーム（又はスロット）により特定できる。
【００６４】
下りリンクにおいて、各サブフレームの先頭数シンボルの区間は、主に物理下りリンク制御チャネル（ＰＤＣＣＨ）として使用される制御領域である。また、各サブフレームの残りの区間は、主に物理下りリンク共有チャネル（ＰＤＳＣＨ）として使用できる領域である。さらに、各サブフレームには、セル固有参照信号（ＣＲＳ）などの参照信号が分散して配置される。
【００６５】
ＰＤＣＣＨは、制御情報を搬送する。制御情報は、例えば、上りリンクＳＩ（Ｓｃｈｅｄｕｌｉｎｇ  Ｉｎｆｏｒｍａｔｉｏｎ）、下りリンクＳＩ、ＴＰＣビットである。上りリンクＳＩは上りリンクの無線リソースの割当てを示す情報であり、下りリンクＳＩは、下りリンクの無線リソースの割当てを示す情報である。ＴＰＣビットは、上りリンクの送信電力の増減を指示する情報である。
【００６６】
ＰＤＳＣＨは、制御情報及び／又はユーザデータを搬送する。例えば、下りリンクのデータ領域は、ユーザデータにのみ割当てられてもよく、ユーザデータ及び制御情報が多重されるように割当てられてもよい。
【００６７】
上りリンクにおいて、各サブフレームにおける周波数方向の両端部は、主に物理上りリンク制御チャネル（ＰＵＣＣＨ）として使用される制御領域である。また、各サブフレームにおける周波数方向の中央部は、主に物理上りリンク共有チャネル（ＰＵＳＣＨ）として使用できる領域である。
【００６８】
ＰＵＣＣＨは、制御情報を搬送する。制御情報は、例えば、ＣＱＩ、ＰＭＩ、ＲＩ、ＳＲ（Ｓｃｈｅｄｕｌｉｎｇ  Ｒｅｑｕｅｓｔ）、ＡＣＫ／ＮＡＣＫなどである。
【００６９】
ＣＱＩは、下りリンクの受信状態に基づく、下りリンクで用いるのに好ましい変調及び符号化方式（すなわち、推奨ＭＣＳ）を示す。
【００７０】
ＰＭＩは、下りリンクで用いるのに好ましいプリコーダ行列を示す情報である。言い換えると、ＰＭＩは、当該ＰＭＩの送信元のＵＥに対してビームが向くプリコーダ行列を示す情報である。例えば、ＵＥ１００は、自身の受信状態が改善されるように、ｅＮＢ２００にフィードバックするＰＭＩを選択する。
【００７１】
ＲＩは、下りリンクで用いるのに好ましいランクを示す。例えば、ＵＥ１００は、自身の受信状態に相応しいランクが適用されるように、ｅＮＢ２００にフィードバックするＰＭＩを選択する。
【００７２】
ＳＲは、上りリンクの無線リソースの割当てを要求する情報である。
【００７３】
ＡＣＫ／ＮＡＣＫは、下りリンクの物理チャネル（例えば、ＰＤＳＣＨ）を介して送信される信号のデコードに成功したか否かを示す情報である。
【００７４】
ＰＵＳＣＨは、制御情報及び／又はユーザデータを搬送する物理チャネルである。例えば、上りリンクのデータ領域は、ユーザデータにのみ割当てられてもよく、ユーザデータ及び制御情報が多重されるように割当てられてもよい。
【００７５】
（実施形態に係る動作）
以下、実施形態に係る動作について、図７及び図８を用いて説明する。
【００７６】
図７は、本実施形態に係る動作概要を説明するための説明図である。図８は、本実施形態に係る動作シーケンスを説明するためのシーケンス図である。
【００７７】
図７に示すように、本実施形態に係る移動通信システムは、ＵＥ１００−１、ＵＥ１００−２、ＵＥ１００−３、ｅＮＢ２００−１、ｅＮＢ２００−２及びｅＮＢ２００−３を有する。
【００７８】
図７及び図８に示すように、ｅＮＢ２００−１及びｅＮＢ２００−２は、ＣｏＭＰ協調セットであり、ＵＥ１００−１とのＣｏＭＰ通信を行っている。具体的には、ｅＮＢ２００−１及びｅＮＢ２００−２は、複数のポイントが同一の無線リソースを確保してユーザ端末に対して選択的に送信を行うＤＰＳ（Ｄｙｎａｍｉｃ  Ｐｏｉｎｔ  Ｓｅｌｅｃｔｉｏｎ）方式のＣｏＭＰ通信を行っている。一方、ｅＮＢ２００−３は、ｅＮＢ２００−３が管理するセルの配下のＵＥ１００−２及びＵＥ１００−３と通常の通信を行っている。すなわち、ｅＮＢ２００−３は、ＣｏＭＰ協調セットでない。ＵＥ１００−２は、ｅＮＢ２００−３のセルの端部に位置し、ＵＥ１００−３は、ｅＮＢ２００−３のセルの中央付近に位置する。
【００７９】
図８に示すように、ステップＳ１０１において、ＵＥ１００−２は、ｅＮＢ２００からの参照信号の受信状態（受信電力及び／又は受信品質）を測定した測定報告（Ｍｅａｓｕｒｅｍｅｎｔ  Ｒｅｐｏｒｔ）をｅＮＢ２００−３に送信する。ｅＮＢ２００−３は、測定報告をＵＥ１００−２から受信する。
【００８０】
ステップＳ１０２において、ｅＮＢ２００−３は、測定報告に基づいて、（ｅＮＢ２００−２側における）ｅＮＢ２００−３が管理するセルの端部にＵＥ１００−２が位置するか否かを判断する。例えば、ｅＮＢ２００−３は、ｅＮＢ２００−２からの受信電力が所定値以上である場合、ｅＮＢ２００−２側におけるｅＮＢ２００−３のセルの端部にＵＥ１００−２が位置すると判断する。本実施形態において、ｅＮＢ２００−３が、ｅＮＢ２００−２側におけるｅＮＢ２００−３のセルの端部にＵＥ１００−２が位置すると判断したと仮定して説明を進める。
【００８１】
ステップ１０３において、ｅＮＢ２００−１及びｅＮＢ２００−２のそれぞれは、自身の配下のＵＥ１００に無線リソースを割り当てるスケジューリングを行う。また、ｅＮＢ２００−１及びｅＮＢ２００−２は、割り当てた無線リソースの割当情報であるスケジューリング情報を交換する。これにより、ｅＮＢ２００−１及びｅＮＢ２００−２のそれぞれは、ＣｏＭＰ通信のために用いられる同一の無線リソース（以下、ＣｏＭＰ通信リソースと称する）を確保する。
【００８２】
ステップＳ１０４において、ｅＮＢ２００−２は、ｅＮＢ２００−２の周辺に存在する隣接ｅＮＢ２００に関する隣接セルリストに基づいて、ｅＮＢ２００−２に対する隣接ｅＮＢ２００であり、且つ、ｅＮＢ２００−２とのＣｏＭＰ協調セットでないｅＮＢ２００を探す。
【００８３】
本実施形態において、ｅＮＢ２００−２は、隣接セルリストに、ｅＮＢ２００−２に対する隣接ｅＮＢ２００だけでなく、ｅＮＢ２００−２とＣｏＭＰ通信を行うｅＮＢ２００を記録する。
【００８４】
本実施形態において、ｅＮＢ２００−２は、ｅＮＢ２００−２とＣｏＭＰ通信を行うｅＮＢ２００が記録された隣接セルリストに基づいて、ｅＮＢ２００−３が隣接ｅＮＢ２００であり、且つ、ｅＮＢ２００−３がＣｏＭＰ協調セットであるか否かを判断する。
【００８５】
ここでのＣｏＭＰ協調セットは、例えば、ｅＮＢ２００−２との協調送信の対象となるｅＮＢ２００であってもよいし、ｅＮＢ２００−２と現在協調送信を行っているｅＮＢ２００であってもよい。本実施形態において、ｅＮＢ２００−２は、ｅＮＢ２００−２と現在協調送信を行っているｅＮＢ２００をＣｏＭＰ協調セットとして説明を進める。
【００８６】
ｅＮＢ２００−２は、ｅＮＢ２００−３が隣接ｅＮＢ２００であり、且つ、ＣｏＭＰ協調セットでないと判断した場合（「Ｙｅｓ」の場合）、ステップＳ１０５の処理を実行する。一方、ｅＮＢ２００−２は、ｅＮＢ２００−３が隣接ｅＮＢ２００でない、又は、ｅＮＢ２００−３がＣｏＭＰ協調セットであると判断した場合（「Ｎｏ」の場合）、ステップＳ１０７の処理を実行する。本実施形態において、ｅＮＢ２００−２が、ｅＮＢ２００−３が隣接ｅＮＢ２００であり、且つ、ＣｏＭＰ協調セットでないと判断したと仮定して説明を進める。
【００８７】
ステップＳ１０５において、ｅＮＢ２００−２は、少なくともＣｏＭＰ通信リソースに対応するｅＮＢ２００−２の送信電力に関する送信電力情報をｅＮＢ２００−３に送信する。ｅＮＢ２００−３は、送信電力情報を受信する。
【００８８】
本実施形態において、送信電力情報は、ｅＲＮＴＰである。ｅＲＮＴＰは、リソースブロック毎のｅＮＢ２００−２の下りリンクの送信電力の制限を示す制限情報と、当該制限情報に関するサブフレームを示すサブフレーム情報を含む。サブフレーム情報は、少なくともＣｏＭＰ通信リソースが位置するサブフレームを示す情報と、を含む。
【００８９】
本実施形態において、制限情報は、送信電力がゼロに等しい無線リソースを示す情報を含む。
【００９０】
また、サブフレーム情報は、例えば、図９に示すように、ｅＲＮＴＰが有効な単一サブフレームを指定する情報である。或いは、サブフレーム情報は、ｅＲＮＴＰが有効なサブフレームの範囲を指定する情報であってもよい。この場合、サブフレーム開始（Ｓｕｂｆｒａｍｅ  ｓｔａｒｔ）とサブフレーム終了（Ｓｕｂｆｒａｍｅ  ｅｎｄ）とにＩＥが分かれてもよい。また、サブフレーム情報は、ｅＲＮＴＰが有効となるサブフレーム周期を指定する情報であってもよい。この場合、例えば、（ａ）サブフレーム情報は、サブフレーム開始（Ｓｕｂｆｒａｍｅ  ｓｔａｒｔ）及びサブフレーム周期（Ｓｕｂｆｒａｍｅ  ｐｅｒｉｏｄ）を指定する情報であったり、（ｂ）サブフレーム情報は、サブフレーム分母（Ｓｕｂｆｒａｍｅ  ｍｏｄｕｌｏ）を指定する情報であり、サブフレーム分母で割り切れたサブフレーム番号のサブフレームがｅＲＮＴＰが有効なサブフレームと判断されたり、（ｃ）サブフレーム情報は、サブフレームオフセット（Ｓｕｂｆｒａｍｅ  ｏｆｆｓｅｔ）を指定する情報であってもよい。なお、サブフレーム情報は、（ａ）〜（ｃ）を組み合わせた情報であってもよいし、ｅＮＢ２００−２は、（ａ）〜（ｃ）の情報のそれぞれの情報を送信してもよい。
【００９１】
なお、例えば、ｅＮＢ２００−２は、ｅＮＢ２００−２がセミパーシステントスケジューリング（ＳＰＳ）を行うＣＳ−ＣｏＭＰ通信を行う場合、サブフレーム情報として、ｅＲＮＴＰが有効となるサブフレーム周期を指定する情報を送信することができる。なお、ＣＳ（Ｃｏｏｒｄｉｎａｔｅｄ  Ｓｃｈｅｄｕｌｉｎｇ）−ＣｏＭＰ通信では、ＣｏＭＰ協調セットである各ｅＮＢ２００間で、協調したスケジューリングが行われる。
【００９２】
ステップＳ１０６において、ｅＮＢ２００−３は、送信電力情報に基づいて、スケジューリングを行う。
【００９３】
本実施形態において、ｅＮＢ２００−３は、ｅＮＢ２００−２側におけるｅＮＢ２００−３のセルの端部にＵＥ１００−２が位置すると判断したＵＥ１００−２にＣｏＭＰ通信リソースに対応する無線リソースを割り当てる。具体的には、ｅＮＢ２００−３は、ｅＮＢ２００−２の送信電力がゼロに等しい無線リソースをＵＥ１００−２に割り当てる。
【００９４】
ステップＳ１０７において、ｅＮＢ２００−１及びｅＮＢ２００−２は、ＣｏＭＰ通信により、ＵＥ１００−１と通信を行う。具体的には、ｅＮＢ２００−１のみが、ＣｏＭＰ通信リソースを用いてＵＥ１００−１にデータを送信し、ｅＮＢ２００−２は、ＣｏＭＰ通信リソースを用いた送信を行わない。一方、ｅＮＢ２００−３は、ＣｏＭＰ通信リソースに対応する無線リソースを用いてＵＥ１００−２にデータを送信する。
【００９５】
（実施形態のまとめ）
本実施形態において、ｅＮＢ２００−２は、ｅＮＢ２００−１が協調通信のために確保するＣｏＭＰ通信リソースと同一の無線リソースを確保する。ｅＮＢ２００−２は、少なくもＣｏＭＰ通信リソースに対応するｅＮＢ２００−２の送信電力に関する送信電力情報をｅＮＢ２００−３に送信する。また、ｅＮＢ２００−３は、ｅＮＢ２００−２から送信電力情報を受信する。ｅＮＢ２００−３は、送信電力情報に基づいて、ＵＥ１００−２に無線リソースを割り当てる。これにより、ｅＮＢ２００−３は、ｅＮＢ２００−２は、送信電力が規制されたＣｏＭＰ通信リソースに対応する無線リソースを知ることができるため、ｅＮＢ２００−３は、ＣｏＭＰ通信リソースを考慮して、ｅＮＢ２００−２からＵＥ１００−２への干渉を抑制できるように、ＵＥ１００−２への無線リソースの割り当てを行うことができる。ＣｏＭＰ協調セットでないｅＮＢ２００−３が、ＣｏＭＰ通信リソースに対応する無線リソースを積極的に利用することによって、ｅＮＢ２００−３におけるスループットが向上するため、システムキャパシティの向上を図ることができる。
【００９６】
また、本実施形態において、ｅＮＢ２００−１がＵＥ１００−１へＣｏＭＰ通信リソースを用いてＵＥ１００−１への送信を行う場合、ｅＮＢ２００−２は、送信電力情報として、ｅＮＢ２００−２の送信電力がゼロに等しいことを示す情報をｅＮＢ２００−３に送信する。ｅＮＢ２００−３は、当該送信電力情報を受信する。ｅＮＢ２００−３は、ＵＥ１００−２がｅＮＢ２００−２からの干渉を受けている場合（具体的には、ｅＮＢ２００−２からの受信電力が所定値以上である場合）、ＵＥ１００−２にＣｏＭＰ通信リソースに対応する無線リソースを割り当てる。これにより、ｅＮＢ２００−２からＵＥ１００−２への干渉が抑制されるため、ｅＮＢ２００−３におけるスループットが向上し、システムキャパシティの向上を図ることができる。
【００９７】
また、本実施形態において、送信電力情報は、リソースブロック毎のｅＮＢ２００−２の送信電力の制限を示す情報と、少なくともＣｏＭＰ通信リソースが位置するサブフレームを示す情報を含む。また、ｅＮＢ２００−２は、サブフレームを示す情報に基づいて、ＵＥ１００−２に無線リソースを割り当てることができる。これにより、ｅＮＢ２００−２は、ＣｏＭＰ通信リソースが位置するサブフレームが分かるため、適切にＵＥ１００−２へＣｏＭＰ通信リソースに対応する無線リソースを割り当てることができる。
【００９８】
また、本実施形態において、ｅＮＢ２００−２は、隣接セルリストにｅＮＢ２００−２とＣｏＭＰ通信を行うｅＮＢ２００を記録する。ｅＮＢ２００−２は、隣接セルリストに基づいて、送信電力情報をｅＮＢ２００−３に送信する。これにより、ｅＮＢ２００−２は、ｅＮＢ２００−２の隣接ｅＮＢ２００でないｅＮＢ２００、又は、ｅＮＢ２００−２とＣｏＭＰ通信を行っているｅＮＢ２００に対して、送信電力情報を送信することを抑制できる。これにより、ｅＮＢ２００−２は、不要な情報を他のｅＮＢ２００に送信することを抑制できるため、システムキャパシティの向上を図ることができる。
【００９９】
また、本実施形態において、ｅＮＢ２００−３は、ＵＥ１００−２が、ｅＮＢ２００−２側におけるｅＮＢ２００−３のセルの端部に位置すると判断した場合、ＵＥ１００−２にＣｏＭＰ通信リソースに対応する無線リソースを割り当てる。これにより、ｅＮＢ２００−２からの干渉を受け易いＵＥ１００に対して、ＣｏＭＰ通信リソースに対応する無線リソースを割り当てることができるため、効率的な干渉抑制の効果を得ることができる。
【０１００】
（実施形態の変更例１）
次に、本実施形態の変更例１に係る動作を説明する。なお、上述した実施形態と異なる部分を中心に説明し、同様の部分は、適宜説明を省略する。
【０１０１】
上述した実施形態では、ｅＮＢ２００−１及びｅＮＢ２００−２は、ＤＰＳ方式のＣｏＭＰ通信（ＤＰＳ−ＣｏＭＰ）を行っていたが、本変更例では、ｅＮＢ２００−１及びｅＮＢ２００−２は、複数のポイントが同一の無線リソースを使用してＵＥ１００に対して一斉に送信を行うＪＴ−ＣｏＭＰを行う。
【０１０２】
ｅＮＢ２００−１及びｅＮＢ２００−２は、ＪＴ−ＣｏＭＰを行う場合、送信電力を低減させることを決定する。ｅＮＢ２００−１及びｅＮＢ２００−２のそれぞれは、送信電力を所定値（例えば、３ｄＢ）低減させて、ＪＴ−ＣｏＭＰを行うと決定する。
【０１０３】
ｅＮＢ２００−２は、送信電力情報として、当該所定値及び送信電力低減させたＣｏＭＰ通信リソースを示す情報をｅＮＢ２００−３に送信する。ｅＮＢ２００−３は、受信した送信電力情報に基づいて、ＵＥ１００−２にＣｏＭＰ通信リソースに対応する無線リソースを割り当てる。
【０１０４】
ｅＮＢ２００−１及びｅＮＢ２００−２は、ＣｏＭＰ通信リソースを用いて、ＵＥ１００−１にデータを送信する。一方、ｅＮＢ２００−３は、ＣｏＭＰ通信リソースに対応する無線リソースを用いて、ＵＥ１００−２にデータを送信する。これにより、当該無線リソースにおいて、ｅＮＢ２００−２からの送信電力が低減しているため、ＵＥ１００−２は、ｅＮＢ２００−２から受ける干渉が低減する。その結果、ｅＮＢ２００−３におけるスループットが向上するため、システムキャパシティの向上を図ることができる。
【０１０５】
（実施形態の変更例２）
次に、本実施形態の変更例２に係る動作を説明する。なお、上述した実施形態と異なる部分を中心に説明し、同様の部分は、適宜説明を省略する。
【０１０６】
上述した実施形態では、送信電力情報として、リソースブロック毎の送信電力の制限を示す情報を送信していた。本実施形態では、送信電力情報は、送信電力の増加に関する情報である。
【０１０７】
本実施形態において、ｅＮＢ２００−１がＣｏＭＰ通信リソースに対応する送信電力を増加させることを決定する。ｅＮＢ２００−１は、ｅＮＢ２００−１の隣接ｅＮＢ２００であり、ｅＮＢ２００−１とＣｏＭＰ通信を行っていないｅＮＢ２００−４（不図示）に対して、送信電力情報として、送信電力の増加に関する情報を送信する。本変更例において、この送信電力の増加に関する情報は、リソースブロック毎のｅＮＢ２００−１の送信電力の増加の情報である。
【０１０８】
ｅＮＢ２００−４は、当該送信電力情報を受信し、送信電力情報に基づいて、ｅＮＢ２００−１からの干渉を受けているＵＥ１００に、ＣｏＭＰ通信リソースに対応する無線リソースとは異なる無線リソースを割り当てる。これにより、ｅＮＢ２００−４は、ｅＮＢ２００−１から干渉を受ける無線リソースを避けてＵＥ１００に割り当てることができるため、ｅＮＢ２００−４におけるスループットが向上する。その結果、システムキャパシティの向上を図ることができる。
【０１０９】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１１０】
上述した実施形態では、ｅＮＢ２００−２は、ＣｏＭＰ通信リソースのみに対応するｅＮＢ２００−２の送信電力に関する送信電力情報を送信してもよい。また、ｅＮＢ２００−２は、送信電力情報として、ｅＲＮＴＰではなく、ＡＢＳ（Ａｌｍｏｓｔ  Ｂｌａｎｋ  Ｓｕｂｆｒａｍｅ）を示す情報を送信してもよい。
【０１１１】
上述した実施形態において、ｅＮＢ２００−３は、測定報告に基づいて、ｅＮＢ２００−２側におけるセルの端部にＵＥ１００−２が位置するか否かを判断したが、これに限られない。ｅＮＢ２００−３は、例えば、ＵＥ１００−２の位置情報に基づいて、当該判断を行ってもよい。
【０１１２】
また、ｅＮＢ２００−３は、ｅＮＢ２００−２側におけるｅＮＢ２００−３のセルの端部に位置するＵＥ１００に対して、ｅＮＢ２００−２とｅＮＢ２００−３とをＣｏＭＰ協調セットとした測定報告を送信させるための設定情報をＵＥ１００−２に送信してもよい。これにより、ＵＥ１００−２にとって、通常、隣接セル（ｅＮＢ２００−２）からの無線信号としてセル固有参照信号（ＣＲＳ：Ｃｅｌｌ−ｓｐｅｃｉｆｉｃ  ＲＳ）が測定対象であるのに対し、チャネル状態情報参照信号（ＣＳＩ−ＲＳ：Ｃｈａｎｎｅｌ  Ｓｔａｔｅ  Ｉｎｆｏｒｍａｔｉｏｎ  ＲＳ）が測定対象となる。ｅＮＢ２００−３は、ｅＮＢ２００−２とｅＮＢ２００−３とがＣｏＭＰ協調セットでもないにもかかわらず、当該設定情報をＵＥ１００−２に送信できる。これによって、ｅＮＢ２００−３は、ＵＥ１００−２からＣＳＩ−ＲＳが測定対象となった測定報告を受信するため、ｅＮＢ２００−２からの干渉を考慮したＵＥ１００−２に対する正確なＭＣＳを決定することができる。なお、ｅＮＢ２００−３は、ｅＮＢ２００−２のＣＳＩ−ＲＳを測定対象とした測定報告を受信しない場合であっても、通常の測定報告によって取得したｅＮＢ２００−２のＲＳＲＰに基づいて、簡易的にＵＥ１００−２に対するＭＣＳを決定してもよい。これによって、システムキャパシティの向上を図ることができる。
【０１１３】
上述した実施形態において、ｅＮＢ２００−２は、隣接セルリストに、ｅＮＢ２００−２とＣｏＭＰ通信を行うｅＮＢ２００を記録したが、隣接セルリストとは異なるリストにｅＮＢ２００−２とＣｏＭＰ通信を行うｅＮＢ２００を記録してもよい。
【０１１４】
また、上述した実施形態において、ｅＮＢ２００−２は、ｅＮＢ２００−２とのＣｏＭＰ協調セットであるか否かを判断せずに、隣接セルリストに記録されたｅＮＢ２００に送信電力情報を送信してもよい。
【０１１５】
上述した実施形態では、ｅＮＢ２００−２及びｅＮＢ２００−３とは、互いに隣接ｅＮＢ２００の関係であり、ｅＮＢ２００−２が管理するセル（以下、第２セルと適宜称する）とｅＮＢ２００−３が管理するセル（以下、第３セルと適宜称する）とが隣接していたが、これに限られない。例えば、ｅＮＢ２００−３は、第２セル内に設置されており、第３セルは、第２セルよりもカバレッジが小さいセルであってもよい。従って、ｅＮＢ２００−２は、マクロセルを管理するｅＮＢ２００であり、ｅＮＢ２００−３は、ピコセル又はフェムトセルを管理するｅＮＢ２００であってもよい。
【０１１６】
さらに、２つのｅＮＢ２００が同一のＵＥ１００と接続（ＲＲＣ接続／データパス）を確立する二重接続（Ｄｕａｌ  Ｃｏｎｎｅｃｔｉｖｉｔｙ）方式をｅＮＢ２００−３がサポートしており、ｅＮＢ２００−２とｅＮＢ２００−３とが同一のＵＥ１００に対して二重接続可能である場合、ｅＮＢ２００−２は、ｅＮＢ２００−３に送信電力情報を送信してもよい。ｅＮＢ２００−３は、二重接続を行っているＵＥ１００に対して、送信電力情報に基づいて、ＣｏＭＰ通信リソースに対応する無線リソース（又は、ＣｏＭＰ通信リソースに対応する無線リソースと別の無線リソース）を割り当てることができる。
【０１１７】
また、上述した実施形態では、ｅＮＢ２００−２は、隣接ｅＮＢ２００に送信電力情報を送信していたが、これに限られない。例えば、ｅＮＢ２００−２は、直接的な端末間通信であるＤ２Ｄ通信を行う複数のＵＥ１００のうち、Ｄ２Ｄ通信に用いられる無線リソースの割り当てを行うスケジューリングＵＥに、送信電力情報を送信してもよい。
【０１１８】
具体的には、ｅＮＢ２００−２は、第２セル内に位置するスケジューリングＵＥに送信電力情報を送信してもよいし、第３セル内に位置するスケジューリングＵＥに、ｅＮＢ２００−３を経由して送信電力情報を送信してもよい。
【０１１９】
スケジューリングＵＥは、スケジューリングＵＥが属するグループを構成するＵＥ１００に対して、送信電力情報に基づいて、ＣｏＭＰ通信リソースに対応する無線リソース（又は、ＣｏＭＰ通信リソースに対応する無線リソースと別の無線リソース）を割り当てることができる。当該無線リソースを割り当てられたＵＥ１００は、当該無線リソースを用いて、Ｄ２Ｄ通信を行う。
【０１２０】
なお、スケジューリングＵＥは、上述の実施形態に係るｅＮＢ２００−３と同様の動作を実行できる（図８参照）。なお、この場合、上述のステップＳ１０１及びステップＳ１０２の動作は、省略されてもよい。ステップＳ１０７の動作については、スケジューリングＵＥの動作であってもよいし、当該無線リソースを割り当てられたＵＥ１００の動作であってもよい。
【０１２１】
また、上述した実施形態では、本発明をＬＴＥシステムに適用する一例を説明したが、ＬＴＥシステムに限定されるものではなく、ＬＴＥシステム以外のシステムに本発明を適用してもよい。
【０１２２】
なお、日本国特許出願第２０１３−２２４７７３号（２０１３年１０月２９日出願）の全内容が、参照により、本願明細書に組み込まれている。
【産業上の利用可能性】
【０１２３】
以上のように、本発明に係る基地局は、ＣｏＭＰ通信が行われている場合に、システムキャパシティを向上できるため、移動通信分野において有用である。
【図１】
2015064476.tif 000003
【図２】
2015064476.tif 000004
【図３】
2015064476.tif 000005
【図４】
2015064476.tif 000006
【図５】
2015064476.tif 000007
【図６】
2015064476.tif 000008
【図７】
2015064476.tif 000009
【図８】
2015064476.tif 000010
【図９】
2015064476.tif 000011
【国際調査報告】
2015064476.tif 000012
2015064476.tif 000013
2015064476.tif 000014
2015064476.tif 000015